(57)【要約】【課題】フレキシブル基板を基体の外部に引き出す場合であっても、大型化する可能性を低減することができる振動装置、入力装置、表示装置、および電子機器を提供する。【解決手段】振動装置は、基体２と、基体２を支持する支持体９と、基体２上に設けられた振動体８と、振動体８に接続されたフレキシブル基板１０と、を備え、フレキシブル基板１０は、支持体８を避けるための切欠部Ｃを有しており、平面視して、切欠部Ｃの少なくとも一部は、基体２と重なっている。【選択図】図１
2014002602.tif 000002
【特許請求の範囲】
【請求項１】
基体と、
前記基体を支持する支持体と、
前記基体上に設けられた振動体と、
前記振動体に接続されたフレキシブル基板と、を備え、
前記フレキシブル基板は、前記支持体を避けるための回避部を有しており、
平面視して、前記回避部の少なくとも一部は、前記基体と重なっている、振動装置。
【請求項２】
前記回避部は、前記フレキシブル基板を切り欠いた切欠部である、請求項１に記載の振動装置。
【請求項３】
前記切欠部には前記支持体が位置している、請求項２に記載の振動装置。
【請求項４】
前記振動体は、第１振動体、および該第１振動体に離間して設けられた第２振動体を少なくとも含み、
前記フレキシブル基板は、前記第１振動体に接続されるとともに、前記第２振動体にも接続される、請求項１〜３のいずれか一項に記載の振動装置。
【請求項５】
前記第１振動体は、第１端子電極を有し、
前記第２振動体は、第２端子電極を有し、
前記フレキシブル基板は、
前記第１端子電極に電気的に接続された第３端子電極、一端が前記第３端子電極に接続され他端が外部導通領域に位置する第１配線電極、前記第２端子電極に電気的に接続された第４端子電極、および、一端が前記第４端子電極に接続され他端が外部導通領域に位置する第２配線電極を有し、
前記第２配線電極の長さは、前記第１配線電極の長さよりも大きく、
前記第２配線電極の前記第１配線電極に対向しない部位の幅は、前記第１配線電極の幅よりも大きい、請求項４に記載の振動装置。
【請求項６】
前記第２配線電極の前記第１配線電極に対向しない部位の幅は、前記第２配線電極の前記第１配線電極に対向する部位の幅よりも大きい、請求項５に記載の振動装置。
【請求項７】
前記第１振動体は、第１端子電極を２つ有し、
前記第２振動体は、第２端子電極を２つ有し、
前記フレキシブル基板は、
２つの前記第１端子電極に電気的に接続された２つの第３端子電極、一端が２つの前記第３端子電極にそれぞれ接続され他端が外部導通領域に位置する２つの第１配線電極、２つの前記第２端子電極に電気的に接続された２つの第４端子電極、および、一端が２つの前記第４端子電極にそれぞれ接続され他端が外部導通領域に位置する２つの第２配線電極を有し、
２つの前記第３端子電極間に２つの前記第２配線電極が位置し、
２つの前記第４端子電極間の距離は、２つの前記第３端子電極間の距離よりも小さい、請求項４〜６のいずれか一項に記載の振動装置。
【請求項８】
請求項１〜７のいずれか一項に記載の振動装置と、
前記基体上に設けられた検出電極と、を備えた入力装置。
【請求項９】
請求項８に記載の入力装置と、
前記入力装置に対向して配置された表示パネルと、
前記表示パネルが収容された筐体と、を備えた表示装置。
【請求項１０】
請求項９に記載の表示装置を備えた電子機器。
【発明の詳細な説明】
【技術分野】
【０００１】
本発明は、振動装置、入力装置、表示装置、および電子機器に関する。
【背景技術】
【０００２】
近年、タッチパネル等の入力装置において、使用者がこのタッチパネルを操作した場合に、使用者に対して、押圧感、なぞり感、肌触り感等の様々な触感を呈示する触覚伝達技術が知られている（例えば、特許文献１〜３参照）。このような入力装置には、振動装置が備えられている。振動装置は、基体と、基体を支持する支持体と、基体上に設けられた振動体と、振動体に接続されたフレキシブル基板と、を備えている。フレキシブル基板を介して振動体へ電圧を印加することにより、振動体が振動し、振動体の振動によって基体が振動する。基体が振動することにより、基体に触れた使用者に対して触感を呈示することができる。
【先行技術文献】
【特許文献】
【０００３】
【特許文献１】特開２００４−１７１５１２号公報
【特許文献２】特開２００４−１９２４１２号公報
【特許文献３】特開２００４−１９２４１３号公報
【発明の概要】
【発明が解決しようとする課題】
【０００４】
しかしながら、上記従来の振動装置では、振動体に接続されたフレキシブル基板を、基体の外部へ引き出す場合に、フレキシブル基板の引き出し先に支持体が存在すると、当該支持体が邪魔になり、フレキシブル基板を基体の外部に引き出すことができない可能性があった。フレキシブル基板を基体の外部に引き出すためには支持体を避ける必要があるが、当該支持体を避けるために、フレキシブル基板を一旦基体の外部へ迂回させる必要があった。フレキシブル基板を一旦基体の外部へ迂回させた場合、フレキシブル基板が基体の外部へはみ出すことになり、振動装置が横方向に大型化する。
【０００５】
本発明は、上記の問題点に鑑みてなされたものであり、その目的は、フレキシブル基板を基体の外部に引き出す場合であっても、大型化する可能性を低減することができる振動装置、入力装置、表示装置、および電子機器に関する。
【課題を解決するための手段】
【０００６】
本発明の振動装置における一態様は、基体と、前記基体を支持する支持体と、前記基体上に設けられた振動体と、前記振動体に接続されたフレキシブル基板と、を備え、前記フレキシブル基板は、前記支持体を避けるための回避部を有しており、平面視して、前記回避部の少なくとも一部は、前記基体と重なっている。
【０００７】
本発明の入力装置における一態様は、上記の振動装置と、前記基体上に設けられた検出電極と、を備える。
【０００８】
本発明の表示装置における一態様は、上記の入力装置と、前記入力装置に対向して配置された表示パネルと、前記表示パネルが収容された筐体と、を備える。
【０００９】
本発明の電子機器における一態様は、上記の表示装置を備える。
【発明の効果】
【００１０】
本発明の振動装置、入力装置、表示装置、および電子機器は、フレキシブル基板を基体の外部に引き出す場合であっても、大型化する可能性を低減することができる、という効果を奏する。
【図面の簡単な説明】
【００１１】
【図１】本実施形態に係る入力装置の概略構成を示す平面図である。
【図２】図１中に示した切断線Ｉ−Ｉに沿って切断した断面図である。
【図３】図１中に示した切断線ＩＩ−ＩＩに沿って切断した断面図である。
【図４】図１中に示した切断線ＩＩＩ−ＩＩＩに沿って切断した断面図である。
【図５】図１中に示した切断線ＩＶ−ＩＶに沿って切断した断面図である。
【図６】フレキシブル基板と振動体との接続関係を示す図である。
【図７】上記の入力装置の動作例を示すフローチャートである。
【図８】本実施形態に係る表示装置の概略構成を示す断面図である。
【図９】本実施形態に係る携帯端末の概略構成を示す斜視図である。
【図１０】変形例１に係る入力装置の概略構成を示す平面図である。
【図１１】フレキシブル基板と振動体との接続関係を示す図である。
【図１２】変形例２に係る入力装置の概略構成を示す平面図である。
【図１３】フレキシブル基板と振動体との接続関係を示す図である。
【発明を実施するための形態】
【００１２】
以下、本発明の実施形態について、図面を参照しながら説明する。
【００１３】
但し、以下で参照する各図は、説明の便宜上、本発明の一実施形態の構成部材のうち、本発明を説明するために必要な主要部材を簡略化して示したものである。したがって、本発明に係る振動装置、入力装置、表示装置、および電子機器は、本明細書が参照する各図に示されていない任意の構成部材を備え得る。また、符号は、同一または類似する構成のものについて、例えば、「振動体８ａ〜８ｈ」のように、同一の符号に小文字のアルファベットの付加符号を付すことがある。また、この場合において、単に「振動体８」という等、上記の付加符号を省略することがあるものとする。
【００１４】
図１に示すように、本実施形態に係る入力装置Ｘ１は、投影型の静電容量方式のタッチパネルであって、入力領域Ｅ１および非入力領域Ｅ２を有している。入力領域Ｅ１は、使用者が入力操作をすることができる領域である。非入力領域Ｅ２は、使用者が入力操作をすることができない領域である。本実施形態に係る非入力領域Ｅ２は、入力領域Ｅ１を取り囲むように当該入力領域Ｅ１の外側に位置しているが、これに限らない。例えば、入力領域Ｅ１内に非入力領域Ｅ２が位置していてもよい。
【００１５】
なお、入力装置Ｘ１は、投影型の静電容量方式のタッチパネルに限らず、例えば、表面型の静電容量方式のタッチパネルであってもよい。また、入力装置Ｘ１は、静電容量方式のタッチパネルに限らず、例えば、抵抗膜方式のタッチパネル、表面弾性波方式のタッチパネル、赤外線方式のタッチパネル、あるいは電磁誘導方式のタッチパネルであってもよい。
【００１６】
図１〜図５に示すように、入力装置Ｘ１は、基体２、第１検出電極パターン３、第２検出電極パターン４、絶縁体５、検出用配線６、保護層７、振動体８、支持体９、およびフレキシブル基板１０を備えている。ここで、基体２、振動体８、支持体９、およびフレキシブル基板１０が、本発明に係る振動装置の一実施形態となる。
【００１７】
基体２は、入力領域Ｅ１において第１検出電極パターン３、第２検出電極パターン４、
および絶縁体５を支持するとともに、非入力領域Ｅ２において検出用配線６を支持する役割を有する。基体２は、第１主面２ａおよび第２主面２ｂを有している。第１主面２ａは、使用者によって直接、入力操作される面である。なお、第１主面２ａ上に保護シートを設けてもよい。第２主面２ｂは、第１主面２ａの反対側に位置する面である。基体２は、絶縁性を有するとともに、基体２の第１主面２ａおよび第２主面２ｂに交差する方向に入射する光に対して透光性を有する。基体２の構成材料としては、例えば、ガラスあるいはプラスチックが挙げられる。
【００１８】
第１検出電極パターン３は、入力領域Ｅ１に対応する基体２の第１主面２ａに接近した使用者の指Ｆ１との間において静電容量を発生し、Ｙ方向における入力位置を検出する役割を有する。第１検出電極パターン３は、入力領域Ｅ１に対応する基体２の第２主面２ｂ上に、Ｙ方向に並んで複数設けられている。また、第１検出電極パターン３は、第１検出電極３ａおよび第１電極間配線３ｂを有する。
【００１９】
第１検出電極３ａは、使用者の指Ｆ１との間において静電容量を発生する役割を有する。第１検出電極３ａは、Ｘ方向に並んで複数設けられている。第１電極間配線３ｂは、第１検出電極３ａ同士を電気的に接続する役割を有する。第１電極間配線３ｂは、隣り合う第１検出電極３ａの間に設けられている。
【００２０】
第２検出電極パターン４は、入力領域Ｅ１に対応する基体２の第１主面２ａに接近した使用者の指Ｆ１との間において静電容量を発生し、Ｘ方向における入力位置を検出する役割を有する。第２検出電極パターン４は、入力領域Ｅ１に対応する基体２の第２主面２ｂ上に、Ｘ方向に並んで複数設けられている。また、第２検出電極パターン４は、第２検出電極４ａおよび第２電極間配線４ｂを有する。
【００２１】
第２検出電極４ａは、使用者の指Ｆ１との間において静電容量を発生する役割を有する。第２検出電極４ａは、Ｙ方向に並んで複数設けられている。第２電極間配線４ｂは、第２検出電極４ａ同士を電気的に接続する役割を有する。第２電極間配線４ｂは、隣り合う第２検出電極４ａの間において、第１電極間配線３ｂと電気的に絶縁するように、絶縁体５を跨ぐように当該絶縁体５上に設けられている。ここで、絶縁体５は、第１電極間配線３ｂを覆うように基体２の第２主面２ｂ上に設けられている。絶縁体５の構成材料としては、例えば、アクリル樹脂、エポキシ樹脂、シリコーン樹脂、二酸化ケイ素、あるいは窒化珪素等の透明樹脂が挙げられる。
【００２２】
上述の第１検出電極パターン３および第２検出電極パターン４の構成材料としては、透光性を有する導電性部材が挙げられる。透光性を有する導電性部材としては、例えば、ＩＴＯ（Indium Tin Oxide）、ＩＺＯ（Indium Zinc Oxide）、ＡＴＯ（Al-Doped Zinc Oxide）、酸化錫、酸化亜鉛、あるいは導電性高分子が挙げられる。
【００２３】
第１検出電極パターン３および第２検出電極パターン４の形成方法としては、例えば、上述の材料をスパッタリング法、蒸着法、あるいはＣＶＤ（Chemical Vapor Deposition
）法によって基体２の第２主面２ｂ上に成膜する。そして、この膜の表面に感光性樹脂を塗布し、露光、現像、エッチング工程を経て、膜がパターニングされることで、第１検出電極パターン３および第２検出電極パターン４が形成される。
【００２４】
検出用配線６は、第１検出電極パターン３および第２検出電極パターン４と指Ｆ１との間において発生した静電容量の変化を検出する役割を有する。本実施形態では、図１に示すように、検出用配線６は、基体２の一方の長辺側の非入力領域Ｅ２、および基体２の一方の短辺側の非入力領域Ｅ２にそれぞれ複数設けられている。ここで、基体２の一方の長辺とは、図１を紙面上から見た場合における基体２の上側の長辺を意味する。基体２の一
方の短辺とは、図１を紙面上から見た場合における基体２の左側の短辺を意味する。また、検出用配線６は、その一端部が第１検出電極パターン３および第２検出電極パターン４と電気的に接続され、その他端部が外部導通領域Ｇ１に位置している。外部導通領域Ｇ１には、図示しないフレキシブル基板が接続される。
【００２５】
検出用配線６は、例えば、硬質で高い形状安定性を得るべく、金属薄膜で構成されている。金属薄膜としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。なお、金属薄膜を形成する方法としては、例えば、スパッタリング法、ＣＶＤ法、あるいは蒸着法が挙げられる。
【００２６】
保護層７は、入力領域Ｅ１において第１検出電極パターン３および第２検出電極パターン４を保護するとともに、非入力領域Ｅ２において検出用配線６を保護する役割を有する。このため、保護層７は、第１検出電極パターン３、第２検出電極パターン４、および検出用配線６を覆うように基体２の第２主面２ｂ上に設けられている。第１検出電極パターン３、第２検出電極パターン４、および検出用配線６を保護する役割としては、例えば、第１検出電極パターン３、第２検出電極パターン４、および検出用配線６を水分の吸湿による腐食から保護する役割、あるいは、第１検出電極パターン３、第２検出電極パターン４、および検出用配線６を外部からの衝撃によって傷を付けないように保護する役割が挙げられる。保護層７の構成材料としては、例えば、アクリル系樹脂、シリコーン系樹脂、ゴム系樹脂、ウレタン系樹脂、二酸化ケイ素、あるいは窒化ケイ素が挙げられる。保護層７を形成する方法としては、例えば、転写印刷法、スピンコート法、あるいはスリットコート法が挙げられる。
【００２７】
振動体８は、使用者による所定の入力操作を検知した場合に、基体２を湾曲振動させる役割を有する。具体的には、振動体８は、Ｘ方向に伸縮運動を繰り返すことにより、基体２の厚み方向（以下、当該方向を「上下方向」と称する）に、基体２を湾曲振動させる。なお、詳細は後述するが、振動体８は、基体２への押圧荷重を検出する役割も有する。本実施形態では、振動体８は、印加される電圧に基づいて伸縮運動を行う圧電素子であるが、これに限らない。振動体８として、圧電素子の代わりに、例えば、電磁式振動体、バネ、モータを用いてもよい。なお、圧電素子としては、モノモルフ、ユニモルフ、バイモルフのいずれであってもよい。
【００２８】
本実施形態では、振動体８は、基体２の一方の長辺側の非入力領域Ｅ２に対応する基体２の第２主面２ｂ上に４つ、基体２の他方の長辺側の非入力領域Ｅ２に対応する基体２の第２主面２ｂ上に４つ、合計８つ設けられている。ここで、基体２の他方の長辺とは、図１を紙面上から見た場合における基体２の下側の長辺を意味する。本実施形態では、基体２の一方の長辺側の非入力領域Ｅ２に設けられた振動体８を、それぞれ、振動体８ａ、振動体８ｂ、振動体８ｃ、および振動体８ｄとする。すなわち、振動体８ａ〜８ｄは、基体２の一方の長辺側に互いに離間して設けられている。また、基体２の他方の長辺側の非入力領域Ｅ２に設けられた振動体８を、それぞれ、振動体８ｅ、振動体８ｆ、振動体８ｇ、および振動体８ｈとする。すなわち、振動体８ｅ〜８ｈは、基体２の他方の長辺側に互いに離間して設けられている。なお、振動体８の配置位置および数については、これに限らない。
【００２９】
支持体９は、基体２を湾曲振動可能に支持する役割を有する。本実施形態では、支持体９は、非入力領域Ｅ２に設けられている。具体的には、支持体９は、基体２の４つの隅部に４つ、基体２の一方の長辺側の隅部間に１つ、基体２の他方の長辺側の隅部間に１つ、合計６つ設けられている。基体２の４つの隅部に設けられた支持体９を、それぞれ、支持体９ａ、支持体９ｂ、支持体９ｃ、支持体９ｄとする。基体２の一方の長辺側の隅部間に
設けられた支持体９を支持体９ｅとする。基体２の他方の長辺側の隅部間に設けられた支持体９を支持体９ｆとする。支持体９は、弾性変形可能なように構成されている。支持体９の構成材料としては、例えば、シリコーンゴム、ウレタンゴム、発泡ウレタン、その他のゴム類、あるいはプラスチックが挙げられる。本実施形態では、支持体９の形状は、直方体状であるが、これに限らない。支持体９の形状は、例えば、円柱状、三角柱状であってもよい。
【００３０】
フレキシブル基板１０は、振動体８に電圧を印加する役割、および振動体８の湾曲量を検出する役割を有する。フレキシブル基板１０は、柔軟性を有しており、変形させることが可能なプリント基板である。フレキシブル基板１０は、振動体８に接続されている。本実施形態では、振動体８ａ、振動体８ｂ、振動体８ｃ、および振動体８ｄを接続するフレキシブル基板１０をフレキシブル基板１０ａとする。振動体８ｅ、振動体８ｆ、振動体８ｇ、および振動体８ｈを接続するフレキシブル基板１０をフレキシブル基板１０ｂとする。
【００３１】
図６は、フレキシブル基板１０ａと振動体８ａ〜８ｄとの接続関係を示す図である。なお、フレキシブル基板１０ｂと振動体８ｅ〜８ｈとの接続関係もこれと同様であるため、その具体的な説明は省略する。
【００３２】
図６に示すように、振動体８ａは、その裏面に、一方の端子電極８１ａおよび他方の端子電極８２ａを有している。すなわち、振動体８ａの表面が、図示しない接着部材を介して基体２の第２主面２ｂ上に接続される。振動体８ｂは、その裏面に、一方の端子電極８１ｂおよび他方の端子電極８２ｂを有している。すなわち、振動体８ｂの表面が、接着部材を介して基体２の第２主面２ｂ上に接続される。振動体８ｃは、その裏面に、一方の端子電極８１ｃおよび他方の端子電極８２ｃを有している。すなわち、振動体８ｃの表面が、接着部材を介して基体２の第２主面２ｂ上に接続される。振動体８ｄは、その裏面に、一方の端子電極８１ｄおよび他方の端子電極８２ｄを有している。すなわち、振動体８ｄの表面が、接着部材を介して基体２の第２主面２ｂ上に接続される。一方の端子電極８１ａ，８１ｂ，８１ｃ，８１ｄは、正の電圧が印加される端子である。他方の端子電極８２ａ，８２ｂ，８２ｃ，８２ｄは、負の電圧が印加される端子である。
【００３３】
フレキシブル基板１０ａは、振動体８ａの一方の端子電極８１ａに電気的に接続される一方の端子電極１０１ａ、および振動体８ａの他方の端子電極８２ａに電気的に接続される他方の端子電極１０１ｂを有している。一方の端子電極８１ａおよび一方の端子電極１０１ａ、他方の端子電極８２ａおよび他方の端子電極１０１ｂは、図示しない導電部材によって電気的に接続される。ここで、導電部材としては、例えば、異方性導電接着剤、はんだ、あるいは銀ペーストが挙げられる。フレキシブル基板１０ａは、一端が一方の端子電極１０１ａに接続され他端が外部導通領域Ｇ２に位置する一方の配線電極１０２ａ、および一端が一方の端子電極１０１ｂに接続され他端が外部導通領域Ｇ２に位置する他方の配線電極１０２ｂを有している。これにより、一方の配線電極１０２ａ、一方の端子電極１０１ａ、および一方の端子電極８１ａを介して、振動体８ａに正の電圧を印加することができる。また、他方の配線電極１０２ｂ、他方の端子電極１０１ｂ、および他方の端子電極８２ａを介して、振動体８ａに負の電圧を印加することができる。
【００３４】
また、フレキシブル基板１０ａは、振動体８ｂの一方の端子電極８１ｂに電気的に接続される一方の端子電極１０１ｃ、および振動体８ｂの他方の端子電極８２ｂに電気的に接続される他方の端子電極１０１ｄを有している。一方の端子電極８１ｂおよび一方の端子電極１０１ｃ、他方の端子電極８２ｂおよび他方の端子電極１０１ｄは、導電部材によって電気的に接続される。フレキシブル基板１０ａは、一端が一方の端子電極１０１ｃに接続され他端が外部導通領域Ｇ２に位置する一方の配線電極１０２ｃ、および一端が他方の
端子電極１０１ｄに接続され他端が外部導通領域Ｇ２に位置する他方の配線電極１０２ｄを有している。これにより、一方の配線電極１０２ｃ、一方の端子電極１０１ｃ、および一方の端子電極８１ｂを介して、振動体８ｂに正の電圧を印加することができる。また、他方の配線電極１０２ｄ、他方の端子電極１０１ｄ、および他方の端子電極８２ｂを介して、振動体８ｂに負の電圧を印加することができる。
【００３５】
また、フレキシブル基板１０ａは、振動体８ｃの一方の端子電極８１ｃに電気的に接続される一方の端子電極１０１ｅ、および振動体８ｃの他方の端子電極８２ｃに電気的に接続される他方の端子電極１０１ｆを有している。一方の端子電極８１ｃおよび一方の端子電極１０１ｅ、他方の端子電極８２ｃおよび他方の端子電極１０１ｆは、導電部材によって電気的に接続される。フレキシブル基板１０ａは、一端が一方の端子電極１０１ｅに接続され他端が外部導通領域Ｇ２に位置する一方の配線電極１０２ｅ、および一端が一方の端子電極１０１ｆに接続され他端が外部導通領域Ｇ２に位置する他方の配線電極１０２ｆを有している。これにより、一方の配線電極１０２ｅ、一方の端子電極１０１ｅ、および一方の端子電極８１ｃを介して、振動体８ｃに正の電圧を印加することができる。また、他方の配線電極１０２ｆ、他方の端子電極１０１ｆ、および他方の端子電極８２ｃを介して、振動体８ｃに負の電圧を印加することができる。
【００３６】
さらに、フレキシブル基板１０ａは、振動体８ｄの一方の端子電極８１ｄに電気的に接続される一方の端子電極１０１ｇ、および振動体８ｄの他方の端子電極８２ｄに電気的に接続される他方の端子電極１０１ｈを有している。一方の端子電極８１ｄおよび一方の端子電極１０１ｇ、他方の端子電極８２ｄおよび他方の端子電極１０１ｈは、導電部材によって電気的に接続される。フレキシブル基板１０ａは、一端が一方の端子電極１０１ｇに接続され他端が外部導通領域Ｇ２に位置する一方の配線電極１０２ｇ、および一端が一方の端子電極１０１ｈに接続され他端が外部導通領域Ｇ２に位置する他方の配線電極１０２ｈを有している。これにより、一方の配線電極１０２ｇ、一方の端子電極１０１ｇ、および一方の端子電極８１ｄを介して、振動体８ｄに正の電圧を印加することができる。また、他方の配線電極１０２ｈ、他方の端子電極１０１ｈ、および他方の端子電極８２ｄを介して、振動体８ｄに負の電圧を印加することができる。
【００３７】
このように、本実施形態では、振動体８ａ〜８ｄのそれぞれに、個別に、電圧を印加することができる。また、振動体８ａ〜８ｄのそれぞれから、個別に、振動体８ａ〜８ｄの湾曲量を検出することができる。
【００３８】
なお、上記では、他方の配線電極１０２ｂ，１０２ｄ，１０２ｆ，１０２ｈを振動体８ａ〜８ｄ毎に別個独立に設けた例について説明したが、これに限らない。他方の配線電極は、振動体８ａ〜８ｄで共通の１本の配線電極としてもよい。このようにすると、フレキシブル基板１０に設けられる配線電極１０２の数を減らすことができるため、フレキシブル基板１０が大型化する可能性を低減することができる。
【００３９】
図１、図５、および図６に示すように、フレキシブル基板１０には回避部としての切欠部Ｃが設けられている。本実施形態では、フレキシブル基板１０ａには切欠部Ｃが２つ設けられている。フレキシブル基板１０ｂにも切欠部Ｃが２つ設けられている。切欠部Ｃは、フレキシブル基板１０を切り欠くことによって構成される。本実施形態では、フレキシブル基板１０ａには、支持体９ａを避けるための切欠部Ｃ１が設けられているとともに、支持体９ｅを避けるための切欠部Ｃ２が設けられている。すなわち、切欠部Ｃ１に支持体９ａが位置しており、切欠部Ｃ２に支持体９ｅが位置している。フレキシブル基板１０ｂには、支持体９ｃを避けるための切欠部Ｃ３が設けられているとともに、支持体９ｆを避けるための切欠部Ｃ４が設けられている。すなわち、切欠部Ｃ３に支持体９ｃが位置しており、切欠部Ｃ４に支持体９ｆが位置している。本実施形態では、切欠部Ｃの形状は、支
持体９の外形状に沿う形状であるが、これに限らない。
【００４０】
平面視して、切欠部Ｃの少なくとも一部は、基体２と重なっている。本実施形態では、図１に示すように、平面視して、切欠部Ｃ１の一部が基体２と重なっており、切欠部Ｃ２の全部が基体２と重なっている。また、平面視して、切欠部Ｃ３の一部が基体２と重なっており、切欠部Ｃ４の全部が基体２と重なっている。
【００４１】
このように、入力装置Ｘ１では、フレキシブル基板１０に切欠部Ｃが設けられているので、振動体８に接続されたフレキシブル基板１０を、基体２の外部へ引き出す場合に、フレキシブル基板１０の引き出し先に支持体９が存在していても、当該支持体９は邪魔にはならない。また、入力装置Ｘ１では、平面視して、切欠部Ｃの少なくとも一部が基体２と重なっているので、フレキシブル基板１０を基体２の外部へ引き出す場合であっても、入力装置Ｘ１が大型化する可能性を低減することができる。
【００４２】
また、入力装置Ｘ１では、切欠部Ｃには支持体９が位置している。具体的には、切欠部Ｃには支持体９の全部が位置している。このため、入力装置Ｘ１が大型化する可能性を低減することができる。
【００４３】
なお、本実施形態では、図６に示すように、フレキシブル基板１０ａに切欠部Ｃ１が設けられているので、一方の配線電極１０２ａ，１０２ｃ，１０２ｅ，１０２ｇは、切欠部Ｃ１を迂回して設けられている。また、フレキシブル基板１０ａに切欠部Ｃ２が設けられているので、一方の配線電極１０２ｅ，１０２ｇは、切欠部Ｃ２を迂回して設けられている。
【００４４】
次に、入力装置Ｘ１の動作例について、図７を参照しながら説明する。
【００４５】
なお、以下では、触覚伝達のうち使用者に対して押圧感を伝達する場合の入力装置Ｘ１の動作例について説明するが、入力装置Ｘ１は、押圧感以外の、例えば、なぞり感、肌触り感等の様々な触感を伝達する場合にも適用できることは勿論である。
【００４６】
図７に示すように、使用者が、基体２の第１主面２ａを押圧した場合に、振動体８は、基体２への押圧荷重を検出する（Ｏｐ１）。ここで、振動体８の荷重検出機能について説明する。すなわち、使用者が、基体２の第１主面２ａを押圧すると、基体２が下方向に湾曲する。基体２が下方向に湾曲すると、振動体８も下方向に湾曲する。つまり、基体２への押圧荷重に応じて、振動体８の湾曲量が変移する。この結果、振動体８により基体２への押圧荷重を検出することができる。
【００４７】
そして、図示しない触覚伝達ドライバは、使用者による入力操作が、表示画面に表示された入力オブジェクトに対する押圧操作である場合に、Ｏｐ１にて検出された押圧荷重が閾値以上であるか否かを判定する（Ｏｐ２）。
【００４８】
そして、触覚伝達ドライバは、Ｏｐ１にて検出された押圧荷重が閾値以上であると判定すれば（Ｏｐ２にてＹＥＳ）、振動体８をＸ方向に伸縮運動させる（Ｏｐ３）。そして、Ｏｐ３にて伸縮運動された振動体８により基体２が上下方向に湾曲振動する（Ｏｐ４）。これにより、基体２の第１主面２ａを押圧した使用者に対して押圧感が伝達される。一方、触覚伝達ドライバは、Ｏｐ１にて検出された押圧荷重が閾値未満であると判定すれば（Ｏｐ２にてＮＯ）、図７の処理を終了する。
【００４９】
以上のように、振動装置は、フレキシブル基板１０を基体２の外部に引き出す場合であっても、大型化する可能性を低減することができる。また、入力装置Ｘ１は、振動装置を
備えているので、フレキシブル基板１０を基体２の外部に引き出す場合であっても、大型化する可能性を低減することができる。
【００５０】
なお、上記では、フレキシブル基板１０に切欠部Ｃが設けられている例について説明したが、これに限らない。フレキシブル基板１０には、支持体９を避けるための、回避部としての迂回部が設けられていてもよい。平面視して、迂回部の少なくとも一部は、基体２と重なっている。具体的には、迂回部は、支持体９を避けるために、フレキシブル基板１０を一旦内側に迂回させた部位である。これにより、フレキシブル基板１０に切欠部Ｃが設けられている場合と同様の効果を奏する。但し、迂回部を設けることにより、フレキシブル基板１０が幅方向に大きくなる。フレキシブル基板１０が幅方向に大きくなることを抑制するためには、本実施形態のように、フレキシブル基板１０に切欠部Ｃが設けられていることが好ましい。
【００５１】
次に、入力装置Ｘ１を備えた表示装置Ｙ１について、図８を参照しながら説明する。
【００５２】
図８に示すように、本実施形態に係る表示装置Ｙ１は、入力装置Ｘ１、液晶パネル５０１、バックライト５０２、回路基板５０３、および第１筐体５０４を備えている。
【００５３】
液晶パネル５０１は、表示のために液晶組成物を利用した表示パネルである。液晶パネル５０１は、空間Ｓ１を介して入力装置Ｘ１に対向して配置される。なお、液晶パネル５０１の代わりに、プラズマパネル、有機ＥＬパネル、電子ペーパ等の表示パネルを用いてもよい。ここで、有機ＥＬパネルは、電圧を印加すると発光する物質を利用した表示パネルである。具体的には、有機ＥＬパネルは、ジアミン類等の有機物を用いた発光体を基板に蒸着し、５〜１０Ｖの直流電圧を印加することで表示が行われる。なお、液晶パネル５０１の代わりに有機ＥＬパネルを用いた場合には、バックライト５０２は不要となる。
【００５４】
バックライト５０２は、光源５０２ａおよび導光板５０２ｂを備えている。光源５０２ａは、導光板５０２ｂに向けて光を出射する役割を有する。光源５０２は、例えば、ＬＥＤ（Light Emitting Diode）から構成される。なお、ＬＥＤの代わりに、冷陰極蛍光ランプ、ハロゲンランプ、キセノンランプ、ＥＬ（Electro-Luminescence）であってもよい。導光板５０２ｂは、液晶パネル５０１の下面全体にわたって、光源５０２ａからの光を略均一に導くための役割を有する。
【００５５】
回路基板５０３は、ＩＣ（Integrated Circuit）、抵抗器、コンデンサ等の部品を表面に実装し、その部品間を配線で接続することで電子回路を構成する板状またはフィルム状の基板である。回路基板５０３は、バックライト５０２の背面側に配置されている。また、回路基板５０３にはコネクタが設けられている。このコネクタには、例えば、振動体８に接続されたフレキシブル基板１０が挿入される。
【００５６】
第１筐体５０４は、液晶パネル５０１、バックライト５０２、および回路基板５０３を収容する役割を有する。第１筐体５０４の構成材料としては、例えば、ポリカーボネート等の樹脂、あるいは、ステンレス、アルミニウム等の金属が挙げられる。
【００５７】
また、第１筐体５０４は、支持部材５０４ａを有している。支持部材５０４ａは、入力領域Ｅ１を取り囲むように設けられている。支持部材５０４ａは、支持体９を介して入力装置Ｘ１を支持する役割を有する。
【００５８】
表示装置Ｙ１は、入力装置Ｘ１を備えているので、フレキシブル基板１０を基体２の外部に引き出す場合であっても、大型化する可能性を低減することができる。
【００５９】
次に、上記の表示装置Ｙ１を備えた携帯端末Ｐ１について、図９を参照しながら説明する。
【００６０】
図９は、本実施形態に係る携帯端末Ｐ１の概略構成を示す斜視図である。図９に示すように、携帯端末Ｐ１は、例えば、携帯電話、スマートフォン、ＰＤＡ（Personal Digital
Assistant）等の電子機器であって、上記の表示装置Ｙ１と、音声入力部６０１と、音声出力部６０２と、キー入力部６０３と、第２筐体６０４とを備えている。
【００６１】
音声入力部６０１は、例えば、マイク等により構成されており、使用者の音声等が入力される。音声出力部６０２は、スピーカ等により構成されており、相手方からの音声等が出力される。キー入力部６０３は、例えば、機械的なキーにより構成される。なお、キー入力部６０３は、表示画面に表示された操作キーであってもよい。第２筐体６０４は、表示装置Ｙ１、音声入力部６０１、音声出力部６０２、およびキー入力部６０３を収容する役割を有する。
【００６２】
他にも、携帯端末Ｐ１は、必要な機能に応じて、デジタルカメラ機能部、ワンセグ放送用チューナ、赤外線通信機能部等の近距離無線通信部、および各種インタフェース等を備える場合もあるが、これらの詳細についての図示および説明は省略する。
【００６３】
携帯端末Ｐ１は、表示装置Ｙ１を備えているので、フレキシブル基板１０を基体２の外部に引き出す場合であっても、大型化する可能性を低減することができる。
【００６４】
なお、上記では、携帯端末Ｐ１に音声入力部６０１を備えている例について説明したが、これに限らない。すなわち、携帯端末Ｐ１には音声入力部６０１は備えられていなくともよい。
【００６５】
また、上記では、携帯端末Ｐ１は、表示装置Ｙ１を収容する第２筐体６０４を備えている例について説明したが、これに限らない。第２筐体６０４を別個独立に設けることなく、表示装置Ｙ１における第１筐体５０４が携帯端末Ｐ１の筐体となる構成であってもよい。
【００６６】
また、表示装置Ｙ１は、上記の携帯端末Ｐ１の代わりに、産業用途で使用される表示器、車載用途で使用される表示器、電子手帳、パーソナルコンピュータ、複写機、ゲーム用の端末装置、テレビ、デジタルカメラ等の様々な電子機器に備えられていてもよい。
【００６７】
なお、上述した実施形態は、本発明の実施形態の一具体例を示すものであり、種々の変形が可能である。以下、いくつかの主な変形例を示す。
【００６８】
[変形例１]
図１０は、変形例１に係る入力装置Ｘ２の概略構成を示す平面図である。図１１は、フレキシブル基板と振動体との接続関係を示す図である。図１０および図１１において、図１および図６と同様の機能を有する構成については、同じ参照符号を付記し、その詳細な説明を省略する。
【００６９】
図１０に示すように、入力装置Ｘ２では、上記の実施形態で説明したフレキシブル基板１０の代わりに、フレキシブル基板２０を備えている。変形例１では、振動体８ａ、振動体８ｂ、振動体８ｃ、および振動体８ｄを接続するフレキシブル基板２０をフレキシブル基板２０ａとする。振動体８ｅ、振動体８ｆ、振動体８ｇ、および振動体８ｈを接続するフレキシブル基板２０をフレキシブル基板２０ｂとする。なお、以下では、フレキシブル基板２０ａと振動体８ａ〜８ｄとの接続関係について図１１を用いて説明するが、フレキ
シブル基板２０ｂと振動体８ｅ〜８ｈとの接続関係もこれと同様であるため、その具体的な説明は省略する。
【００７０】
図１１に示すように、フレキシブル基板２０ａは、振動体８ａの一方の端子電極８１ａに電気的に接続される一方の端子電極２０１ａ、および振動体８ａの他方の端子電極８２ａに電気的に接続される他方の端子電極２０１ｂを有している。フレキシブル基板２０ａは、一端が一方の端子電極２０１ａに接続され他端が外部導通領域Ｇ２に位置する一方の配線電極２０２ａ、および一端が一方の端子電極２０１ｂに接続され他端が外部導通領域Ｇ２に位置する他方の配線電極２０２ｂを有している。
【００７１】
また、フレキシブル基板２０ａは、振動体８ｂの一方の端子電極８１ｂに電気的に接続される一方の端子電極２０１ｃ、および振動体８ｂの他方の端子電極８２ｂに電気的に接続される他方の端子電極２０１ｄを有している。フレキシブル基板２０ａは、一端が一方の端子電極２０１ｃに接続され他端が外部導通領域Ｇ２に位置する一方の配線電極２０２ｃ、および一端が他方の端子電極２０１ｄに接続され他端が外部導通領域Ｇ２に位置する他方の配線電極２０２ｄを有している。
【００７２】
ここで、一方の配線電極２０２ｃの長さは、一方の配線電極２０２ａの長さよりも大きい。このため、一方の配線電極２０２ｃは、一方の配線電極２０２ａに比べて、配線抵抗が大きくなる。一方の配線電極２０２ｃの配線抵抗を、一方の配線電極２０２ａの配線抵抗に近づけるために、変形例１では、一方の配線電極２０２ｃにおける一方の配線電極２０２ａに対向しない部位の幅を、一方の配線電極２０２ａの幅よりも大きく設定している。具体的には、一方の配線電極２０２ｃにおける一方の配線電極２０２ａに対向しない部位の幅は、一方の配線電極２０２ｃにおける一方の配線電極２０２ａに対向する部位の幅よりも大きい。これにより、一方の配線電極２０２ｃの配線抵抗を、一方の配線電極２０２ａの配線抵抗に近づけることができる。この結果、振動体８ａと振動体８ｂとの間で、振動のバラツキ、あるいは振動体８ａ，８ｂの湾曲量の検出バラツキを低減することができる。なお、上記と同様の理由より、他方の配線電極２０２ｄにおける他方の配線電極２０２ｂに対向しない部位の幅は、他方の配線電極２０２ｂの幅よりも大きく設定している。具体的には、他方の配線電極２０２ｄにおける他方の配線電極２０２ｂに対向しない部位の幅は、他方の配線電極２０２ｄにおける他方の配線電極２０２ｂに対向する部位の幅よりも大きい。
【００７３】
また、フレキシブル基板２０ａは、振動体８ｃの一方の端子電極８１ｃに電気的に接続される一方の端子電極２０１ｅ、および振動体８ｃの他方の端子電極８２ｃに電気的に接続される他方の端子電極２０１ｆを有している。フレキシブル基板２０ａは、一端が一方の端子電極２０１ｅに接続され他端が外部導通領域Ｇ２に位置する一方の配線電極２０２ｅ、および一端が一方の端子電極２０１ｆに接続され他端が外部導通領域Ｇ２に位置する他方の配線電極２０２ｆを有している。変形例１では、上記と同様の理由により、一方の配線電極２０２ｅにおける一方の配線電極２０２ｃに対向しない部位の幅は、一方の配線電極２０２ｅにおける一方の配線電極２０２ｃに対向する部位の幅よりも大きく設定している。また、他方の配線電極２０２ｆにおける他方の配線電極２０２ｄに対向しない部位の幅は、他方の配線電極２０２ｆにおける他方の配線電極２０２ｄに対向する部位の幅よりも大きく設定している。
【００７４】
さらに、フレキシブル基板２０ａは、振動体８ｄの一方の端子電極８１ｄに電気的に接続される一方の端子電極２０１ｇ、および振動体８ｄの他方の端子電極８２ｄに電気的に接続される他方の端子電極２０１ｈを有している。フレキシブル基板２０ａは、一端が一方の端子電極２０１ｇに接続され他端が外部導通領域Ｇ２に位置する一方の配線電極２０２ｇ、および一端が一方の端子電極２０１ｈに接続され他端が外部導通領域Ｇ２に位置す
る他方の配線電極２０２ｈを有している。変形例１では、上記と同様の理由により、一方の配線電極２０２ｇにおける一方の配線電極２０２ｅに対向しない部位の幅は、一方の配線電極２０２ｇにおける一方の配線電極２０２ｅに対向する部位の幅よりも大きく設定している。また、他方の配線電極２０２ｈにおける他方の配線電極２０２ｆに対向しない部位の幅は、他方の配線電極２０２ｈにおける他方の配線電極２０２ｆに対向する部位の幅よりも大きく設定している。
【００７５】
以上のように、振動装置は、フレキシブル基板２０を基体２の外部に引き出す場合であっても、大型化する可能性を低減することができる。また、振動装置は、配線電極２０２間の配線抵抗のバラツキを低減することができる。また、入力装置Ｘ１は、振動装置を備えているので、フレキシブル基板１０を基体２の外部に引き出す場合であっても、大型化する可能性を低減することができる。また、入力装置Ｘ１は、振動装置を備えているので、配線電極２０２間の配線抵抗のバラツキを低減することができる。
【００７６】
なお、一方の配線電極２０２ａ、一方の配線電極２０２ｃ、一方の配線電極２０２ｅ、および、一方の配線電極２０２ｇの順に、幅が大きくなる構成を採用してもよい。すなわち、一方の配線電極２０２ｃの幅は、一方の配線電極２０２ａの幅よりも大きく、一方の配線電極２０２ｅの幅は、一方の配線電極２０２ｃの幅よりも大きく、一方の配線電極２０２ｇの幅は、一方の配線電極２０２ｅの幅よりも大きい。このようにすると、一方の配線電極２０２ａ，２０２ｃ，２０２ｅ，２０２ｇ間の配線抵抗のバラツキをより低減することができる。またこれと同様に、他方の配線電極２０２ｂ、他方の配線電極２０２ｄ、他方の配線電極２０２ｆ、および、他方の配線電極２０２ｈの順に、幅が大きくなる構成を採用してもよい。
【００７７】
[変形例２]
図１２は、変形例２に係る入力装置Ｘ３の概略構成を示す平面図である。図１３は、フレキシブル基板と振動体との接続関係を示す図である。図１２および図１３において、図１および図６と同様の機能を有する構成については、同じ参照符号を付記し、その詳細な説明を省略する。
【００７８】
図１２に示すように、入力装置Ｘ３では、上記の実施形態で説明したフレキシブル基板１０の代わりに、フレキシブル基板３０を備えている。変形例２では、振動体８ａ、振動体８ｂ、振動体８ｃ、および振動体８ｄを接続するフレキシブル基板３０をフレキシブル基板３０ａとする。振動体８ｅ、振動体８ｆ、振動体８ｇ、および振動体８ｈを接続するフレキシブル基板３０をフレキシブル基板３０ｂとする。なお、以下では、フレキシブル基板３０ａと振動体８ａ〜８ｄとの接続関係について図１３を用いて説明するが、フレキシブル基板３０ｂと振動体８ｅ〜８ｈとの接続関係もこれと同様であるため、その具体的な説明は省略する。
【００７９】
図１３に示すように、フレキシブル基板３０ａは、振動体８ａの一方の端子電極８１ａに電気的に接続される一方の端子電極３０１ａ、および振動体８ａの他方の端子電極８２ａに電気的に接続される他方の端子電極３０１ｂを有している。ここで、一方の端子電極３０１ａと他方の端子電極３０１ｂとの間の距離をＬ１とする。変形例２では、一方の端子電極３０１ａに対して垂直に仮想線を引き、他方の端子電極３０１ｂに対して垂直に仮想線を引き、当該仮想線間の距離をＬ１としている。なお、以下で説明するＬ２〜Ｌ４もこれと同様である。Ｌ１は、一方の端子電極８１ａと他方の端子電極８２ａとの間の距離でもある。フレキシブル基板３０ａは、一端が一方の端子電極３０１ａに接続され他端が外部導通領域Ｇ２に位置する一方の配線電極３０２ａ、および一端が一方の端子電極３０１ｂに接続され他端が外部導通領域Ｇ２に位置する他方の配線電極３０２ｂを有している。ここで、一方の端子電極３０１ａと他方の端子電極３０１ｂとの間に、後述する一方の
配線電極３０２ｃ，３０２ｅ，３０２ｇ、および、後述する他方の配線電極３０２ｄ，３０２ｆ，３０２ｈが位置している。
【００８０】
また、フレキシブル基板３０ａは、振動体８ｂの一方の端子電極８１ｂに電気的に接続される一方の端子電極３０１ｃ、および振動体８ｂの他方の端子電極８２ｂに電気的に接続される他方の端子電極３０１ｄを有している。ここで、一方の端子電極３０１ｃと他方の端子電極３０１ｄとの間の距離をＬ２とする。Ｌ２は、一方の端子電極８１ｂと他方の端子電極８２ｂとの間の距離でもある。変形例１では、Ｌ２は、Ｌ１よりも小さく設定されている。フレキシブル基板３０ａは、一端が一方の端子電極３０１ｃに接続され他端が外部導通領域Ｇ２に位置する一方の配線電極３０２ｃ、および一端が他方の端子電極３０１ｄに接続され他端が外部導通領域Ｇ２に位置する他方の配線電極３０２ｄを有している。ここで、一方の端子電極３０１ｃと他方の端子電極３０１ｄとの間に、後述する一方の配線電極３０２ｅ，３０２ｇ、および、後述する他方の配線電極３０２ｆ，３０２ｈが位置している。
【００８１】
また、フレキシブル基板３０ａは、振動体８ｃの一方の端子電極８１ｃに電気的に接続される一方の端子電極３０１ｅ、および振動体８ｃの他方の端子電極８２ｃに電気的に接続される他方の端子電極３０１ｆを有している。ここで、一方の端子電極３０１ｅと他方の端子電極３０１ｆとの間の距離をＬ３とする。Ｌ３は、一方の端子電極８１ｃと他方の端子電極８２ｃとの間の距離でもある。変形例１では、Ｌ３は、Ｌ２よりも小さく設定されている。フレキシブル基板３０ａは、一端が一方の端子電極３０１ｅに接続され他端が外部導通領域Ｇ２に位置する一方の配線電極３０２ｅ、および一端が一方の端子電極３０１ｆに接続され他端が外部導通領域Ｇ２に位置する他方の配線電極３０２ｆを有している。ここで、一方の端子電極３０１ｅと他方の端子電極３０１ｆとの間に、後述する一方の配線電極３０２ｇ、および、後述する他方の配線電極３０２ｈが位置している。
【００８２】
さらに、フレキシブル基板３０ａは、振動体８ｄの一方の端子電極８１ｄに電気的に接続される一方の端子電極３０１ｇ、および振動体８ｄの他方の端子電極８２ｄに電気的に接続される他方の端子電極３０１ｈを有している。ここで、一方の端子電極３０１ｇと他方の端子電極３０１ｈとの間の距離をＬ４とする。Ｌ４は、一方の端子電極８１ｄと他方の端子電極８２ｄとの間の距離でもある。変形例１では、Ｌ４は、Ｌ３よりも小さく設定されている。フレキシブル基板３０ａは、一端が一方の端子電極３０１ｇに接続され他端が外部導通領域Ｇ２に位置する一方の配線電極３０２ｇ、および一端が一方の端子電極３０１ｈに接続され他端が外部導通領域Ｇ２に位置する他方の配線電極３０２ｈを有している。
【００８３】
このように、変形例２では、一方の端子電極３０１ａと他方の端子電極３０１ｂとの間に、一方の配線電極３０２ｃ，３０２ｅ，３０２ｇ、および、他方の配線電極３０２ｄ，３０２ｆ，３０２ｈが位置している。すなわち、一方の端子電極３０１ａと他方の端子電極３０１ｂとの間に、６本の配線電極３０２ｃ，３０２ｅ，３０２ｇ，３０２ｄ，３０２ｆ，３０２ｈが位置している。これに対して、一方の端子電極３０１ｃと他方の端子電極３０１ｄとの間に、一方の配線電極３０２ｅ，３０２ｇ、および、他方の配線電極３０２ｆ，３０２ｈが位置している。すなわち、一方の端子電極３０１ｃと他方の端子電極３０１ｄとの間に、４本の配線電極３０２ｅ，３０２ｇ，３０２ｆ，３０２ｈが位置している。このため、Ｌ２は、Ｌ１よりも小さく設定することにより、配線電極３０２の配線スペースを確保しつつ、フレキシブル基板３０が幅方向に大型化する可能性を低減することができる。なお、Ｌ３がＬ２よりも小さく設定されており、Ｌ４がＬ３よりも小さく設定されている理由についても、これと同様である。
【００８４】
以上のように、振動装置は、フレキシブル基板２０を基体２の外部に引き出す場合であ
っても、大型化する可能性をより低減することができる。また、入力装置Ｘ３は、振動装置を備えているので、フレキシブル基板１０を基体２の外部に引き出す場合であっても、大型化する可能性をより低減することができる。
【００８５】
[変形例３]
上記では、入力装置Ｘ１を備えた表示装置Ｙ１の例について説明したが、入力装置Ｘ１に代えて、入力装置Ｘ２または入力装置Ｘ３を採用してもよい。また、入力装置Ｘ２または入力装置Ｘ３を採用した表示装置を備えた携帯端末を採用してもよい。さらに、上述した実施形態および上述した変形例は適宜に組み合わせてもよい。
【符号の説明】
【００８６】
Ｘ１〜Ｘ３  入力装置
Ｙ１  表示装置
Ｐ１  携帯端末（電子機器）
２  基体
３ａ  第１検出電極（検出電極）
４ａ  第２検出電極（検出電極）
８，８ａ〜８ｈ  振動体
８１ａ〜８１ｄ  一方の端子電極
８２ａ〜８２ｄ  他方の端子電極
９，９ａ〜９ｆ  支持体
１０，１０ａ，１０ｂ  フレキシブル基板
１０１ａ，１０１ｃ，１０１ｅ，１０１ｇ  一方の端子電極
１０１ｂ，１０１ｄ，１０１ｆ，１０１ｈ  他方の端子電極
１０２ａ，１０２ｃ，１０２ｅ，１０２ｇ  一方の配線電極
１０２ｂ，１０２ｄ，１０２ｆ，１０２ｈ  他方の配線電極
２０，２０ａ，２０ｂ  フレキシブル基板
２０１ａ，２０１ｃ，２０１ｅ，２０１ｇ  一方の端子電極
２０１ｂ，２０１ｄ，２０１ｆ，２０１ｈ  他方の端子電極
２０２ａ，２０２ｃ，２０２ｅ，２０２ｇ  一方の配線電極
２０２ｂ，２０２ｄ，２０２ｆ，２０２ｈ  他方の配線電極
３０，３０ａ，３０ｂ  フレキシブル基板
３０１ａ，３０１ｃ，３０１ｅ，３０１ｇ  一方の端子電極
３０１ｂ，３０１ｄ，３０１ｆ，３０１ｈ  他方の端子電極
３０２ａ，３０２ｃ，３０２ｅ，３０２ｇ  一方の配線電極
３０２ｂ，３０２ｄ，３０２ｆ，３０２ｈ  他方の配線電極
５０１  液晶パネル（表示パネル）
５０４  第１筐体
Ｃ，Ｃ１〜Ｃ４  切欠部（回避部）
【図１】
2014002602.tif 000003
【図２】
2014002602.tif 000004
【図３】
2014002602.tif 000005
【図４】
2014002602.tif 000006
【図５】
2014002602.tif 000007
【図６】
2014002602.tif 000008
【図７】
2014002602.tif 000009
【図８】
2014002602.tif 000010
【図１０】
2014002602.tif 000011
【図１１】
2014002602.tif 000012
【図１２】
2014002602.tif 000013
【図１３】
2014002602.tif 000014
【図９】
2014002602.tif 000015